(57)【要約】【課題】撮影位置に関する効果的な情報を画像に付加することが難しかった。【解決手段】情報記録装置は、撮像画像の撮像位置に対応する付加情報を提供する外部サーバから、当該付加情報をネットワークを介して取得する付加情報取得部と、付加情報取得部が取得した付加情報を、撮像画像に対応づけて記録媒体に記録する記録部とを備える。プログラムは、コンピュータを、撮像画像の撮像位置に対応する付加情報を提供する外部サーバから、当該付加情報をネットワークを介して取得する付加情報取得部、付加情報取得部が取得した付加情報を、撮像画像に対応づけて記録媒体に記録する記録部として機能させる。【選択図】図１
2012147267.tif 000002
【特許請求の範囲】
【請求項１】
撮像画像の撮像位置に対応する付加情報を提供する外部サーバから、当該付加情報をネットワークを介して取得する付加情報取得部と、
前記付加情報取得部が取得した付加情報を、前記撮像画像に対応づけて記録媒体に記録する記録部と
を備える情報記録装置。
【請求項２】
前記記録部は、前記付加情報を、前記撮像画像に対応づけて不揮発性の記録媒体に記録する
請求項１に記載の情報記録装置。
【請求項３】
前記付加情報取得部は、前記撮像画像と合成して表示されるべき画像を、前記付加情報として取得する
請求項１または２に記載の情報記録装置。
【請求項４】
前記記録媒体に対応づけて記録された前記撮像画像および前記付加情報を用いて、前記撮像画像と前記付加情報とが合成された表示用画像を表示する表示部
をさらに備える請求項１から３のいずれか一項に記載の情報記録装置。
【請求項５】
前記撮像画像と前記付加情報とが合成された画像を表示するか否かをユーザ指示に基づいて設定する表示設定部
をさらに備え、
前記表示部は、前記表示設定部による設定に従って、前記付加情報が合成された前記撮像画像と、前記付加情報が合成されていない前記撮像画像とを切り替えて表示する
請求項４に記載の情報記録装置。
【請求項６】
前記外部サーバにアクセスするためのアクセス情報を取得するアクセス情報取得部
をさらに備え、
前記記録部は更に、前記アクセス情報取得部が取得したアクセス情報を、前記撮像画像に対応づけて前記記録媒体に記録する
請求項１から５のいずれか一項に記載の情報記録装置。
【請求項７】
前記付加情報取得部は、前記記録媒体に記録された前記アクセス情報を用いて前記外部サーバにアクセスして、新たな付加情報を取得し、
前記記録部は、当該アクセス情報と対応づけて前記記録媒体に記録されている前記撮像画像に、前記新たな付加情報を対応づけて前記記録媒体に記録する
請求項６に記載の情報記録装置。
【請求項８】
前記アクセス情報取得部は、前記撮像画像の撮像位置を示す情報を、前記アクセス情報として取得する
請求項６または７に記載の情報記録装置。
【請求項９】
前記アクセス情報取得部は、前記撮像画像の撮像位置および撮像時刻を示す情報を、前記アクセス情報として取得する
請求項８に記載の情報記録装置。
【請求項１０】
撮像部をさらに備え、
前記アクセス情報取得部は、前記撮像部による前記撮像画像の撮像時に、前記アクセス情報を取得する
請求項６から９のいずれか一項に記載の情報記録装置。
【請求項１１】
前記記録媒体に記録されている前記撮像画像を消去する場合に、当該撮像画像に対応づけて記録されている付加情報を前記記録媒体から消去することなく前記撮像画像を前記記録媒体から消去する記録制御部
をさらに備える請求項１から１０のいずれか一項に記載の情報記録装置。
【請求項１２】
前記記録部は、画像である前記付加情報と前記撮像画像とを、単一ファイルに一体に記録する
請求項１から１１のいずれか一項に記載の情報記録装置。
【請求項１３】
前記付加情報取得部は、動画ストリームである前記付加情報を取得し、
前記記録部は、動画ストリームである前記撮像画像と前記付加情報とを、マルチストリームの単一動画ファイルとして一体に記録する
請求項１から１２のいずれか一項に記載の情報記録装置。
【請求項１４】
コンピュータを、
撮像画像の撮像位置に対応する付加情報を提供する外部サーバから、当該付加情報をネットワークを介して取得する付加情報取得部、
前記付加情報取得部が取得した付加情報を、前記撮像画像に対応づけて記録媒体に記録する記録部
として機能させるプログラム。
【発明の詳細な説明】
【技術分野】
【０００１】
本発明は、情報記録装置およびプログラムに関する。
【背景技術】
【０００２】
ＧＰＳで測位された現在位置の情報を画像信号と共に記録媒体に記録するスチルビデオカメラが知られている。また、撮影位置に関連する情報を予め記憶しており、記録媒体に記録された撮影位置に関連する情報を読み出して、画像と合成して出力する再生装置が知られている。
［先行技術文献］
［特許文献］
［特許文献１］特開平５−１１０９７２号公報
【発明の概要】
【発明が解決しようとする課題】
【０００３】
撮影位置に関する情報を手入力するのは、ユーザにとって面倒である。また、例えば撮影位置を一瞬で想起できるような、効果的な情報を付加することが難しかった。
【課題を解決するための手段】
【０００４】
本発明の一態様における情報記録装置は、撮像画像の撮像位置に対応する付加情報を提供する外部サーバから、当該付加情報をネットワークを介して取得する付加情報取得部と、付加情報取得部が取得した付加情報を、撮像画像に対応づけて不揮発性の記録媒体に記録する記録部とを備える。
【０００５】
本発明の一態様におけるプログラムは、コンピュータを、撮像画像の撮像位置に対応する付加情報を提供する外部サーバから、当該付加情報をネットワークを介して取得する付加情報取得部、付加情報取得部が取得した付加情報を、撮像画像に対応づけて記録媒体に記録する記録部として機能させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係るシステムの概念を説明する概念図である。
【図２】付加画像データをネットワーク２７を介して取得する概念を説明する概念図である。
【図３】カメラ１０のシステム構成図である。
【図４】付加画像データを取得して撮像画像データに付加する処理の一例を示すフロー図である。
【図５】記録データのファイル構成の一例を模式的に示す図である。
【図６】付加画像データを更新する処理のフロー図である。
【図７】付加画像の切り替えの一例を説明する図である。
【図８】撮像画像データを消去する処理のフロー図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るシステムの概念を説明する概念図である。本システムにおいて、情報記録装置の一例としてのカメラ１０は、撮影位置に関する付加情報を外部から取得して、撮像画像に付加して記録する。例えばユーザ１７がイベント会場でカメラ１０を用いて撮影すると、カメラ１０は、イベント会場で開催されているイベント専用の付加画像データを、ネットワークを介して取得する。カメラ１０は、付加画像データを、撮像画像データとともに不揮発性の記録媒体に記録する。例えば、カメラ１０は、撮像画像データと付加画像データとをリンクして記録したり、撮像画像に付加画像を重畳した画像データを記録する。
【００１０】
情報提供装置１２は、イベントへの来場者用にイベントの主催者が用意した画像データを記憶している。例えば、情報提供装置１２は、イベント会場でライブを行っているアーティスト３０のロゴ画像６０の画像データを記憶する。ユーザ１７がカメラ１０を用いてアーティスト３０を撮影すると、カメラ１０はアーティスト３０のロゴ画像を情報提供装置１２から受信して、撮像画像データとともにロゴ画像６０の画像データを記録する。カメラ１０は、撮像画像データとロゴ画像とを合成して、カメラ１０の表示部２０１に表示する。
【００１１】
カメラ１０は、撮影に同期してロゴ画像６０を受信して、撮像画像データにロゴ画像６０を自動的に付加するので、手間をかけずに速やかに付加データが付加された画像を記録することができる。また、アーティスト３０の像５０が写り込んだ画像に、ロゴ画像６０が組み込まれて表示されるので、ユーザ１７は何の画像かを一瞬で判断することができる。また、ロゴ画像６０のような、主催者が意図したキャッチーな付加画像を、撮像画像に付加することができる。
【００１２】
撮像画像に対してユーザが個々に付加情報を付与した場合、同じライブを撮像して得た画像であっても、そのときの気分で全く異なる情報を付加してしまう場合がある。また、ユーザが異なれば、同じライブを撮像して得た画像に対して全く異なる情報が付加されてしまう可能性が高い。このため、ユーザが個別に情報を付加すると、誰が見ても分かり易い情報を付加することができない。しかし、本システムによれば、ロゴ画像６０のように、誰でも分かるような情報を提供できる。例えばユーザ１７が、ユーザ個人のウェブサイトに、ロゴ画像６０が組み込まれた画像をアップロードして公開したとすると、そのウェブサイトを訪れた多くの人は、アーティスト３０のライブの画像であると一目で理解できる。
【００１３】
カメラ１０は、例えば無線ＬＡＮ等の無線通信により情報提供装置１２と通信して、情報提供装置１２から付加画像データを受信してよい。カメラ１０は、近距離無線通信により情報提供装置１２と通信して、情報提供装置１２から付加画像データを受信してよい。近距離無線通信としては、Ｂｌｕｅｔｏｏｔｈ（登録商標）、ＺｉｇＢｅｅ（登録商標）等を例示することができる。情報提供装置１２からの無線信号が実質的に届かない位置で撮影したカメラには、付加画像データは提供されない。このため、カメラ１０は、小エリア毎に異なる付加画像データを受信することができる。例えばイベント会場の中でも、ステージ毎に異なる付加画像を受信することができる。本システムによれば、イベント会場または個々のステージに来て撮影したユーザだけに、特別な付加画像を提供することができる。このため、本システムを利用することで、ユーザは特別な付加画像という高い価値を得ることができる。また、イベント会場に観客を来場させる動機づけになり、商業的にも極めて有利である。
【００１４】
後述するように、本システムは、イベント会場以外の場所からアクセスを受け付けて付加画像データを提供するウェブサーバを含む。ウェブサーバは、例えばイベントの主催者が運営するサーバであってよい。情報提供装置１２は、当該ウェブサーバのＵＲＬ情報を記憶しており、当該ＵＲＬ情報をカメラ１０に送信する。カメラ１０は、付加画像の画像データとともに当該ウェブサーバのＵＲＬ情報を情報提供装置１２から受信して、撮像画像データに付加してよい。カメラ１０は、撮像画像データに付加されたＵＲＬ情報を用いて、例えばユーザ１７の自宅などのイベント会場の外から、ウェブサーバにアクセスして、付加画像をダウンロードする。このため、ユーザ１７は、例えばイベントが終わった後でも、最新の付加画像を得ることができる。
【００１５】
また、カメラ１０は、ＧＰＳ衛星２５から出力される信号２６によって算出されるカメラ１０の位置情報を、例えばＥｘｉｆ情報として、撮像画像データに付加する。また、カメラ１０は、撮影した日時を示す時刻情報を、例えばＥｘｉｆ情報として、撮像画像データに付加する。カメラ１０は、例えば位置と施設等とをマッピングした地図情報と、撮像画像データに付加した位置情報とに基づいて、撮影したイベント会場を特定する。そして、カメラ１０は、イベント会場に関するコンテンツを提供するウェブサーバにアクセスして、付加画像データをダウンロードしてよい。また、カメラ１０は、撮像画像データに付加された時刻情報を用いてその日時にイベント会場で行われていたイベントを特定して、当該イベントのコンテンツを提供するウェブサーバから付加画像データをダウンロードしてよい。また、カメラ１０は、撮像画像から画像認識によってアーティスト３０を特定して、アーティスト３０の公式ウェブサイトを提供するウェブサーバ等にアクセスして、付加画像データをダウンロードしてもよい。このため、カメラ１０は、イベント会場に情報提供装置１２が用意されていなくとも、位置、時刻、画像内容に基づいて、イベントの主催者が意図した付加画像データを取得することができる。
【００１６】
本例で説明したように、上述のウェブサーバにアクセスするためのアクセス情報として、ＵＲＬ情報、位置情報および時刻情報を利用することができる。カメラ１０が撮像画像データにアクセス情報を付加することで、付加されたアクセス情報を用いて様々な機器を用いて付加画像データを取得することができる。
【００１７】
図２は、付加画像データをネットワーク２７を介して取得する概念を説明する概念図である。上記において、カメラ１０が、撮像画像データに付加されたＵＲＬ情報等を用いてウェブサーバにアクセスし付加画像データを取得する旨を説明した。そこで、ここでは情報記録装置の他の一例としてのパーソナルコンピュータ１１が、付加画像データを取得して記録する場合を取り上げて説明する。
【００１８】
パーソナルコンピュータ１１は、上述したアクセス情報を用いてウェブサーバ１４にアクセスし付加画像データを取得して、取得した付加画像データを撮像画像データに付加して記録する。本例で説明するウェブサーバ１４、および、上述したウェブサーバ１４は、付加画像データ等の付加データを提供する外部サーバの一例である。したがって、本システムの説明において、情報提供装置１２およびウェブサーバ１４を、外部サーバと総称する場合がある。
【００１９】
上述したように、カメラ１０は、撮像画像データにアクセス情報を付加して記録媒体２０９に記録している。記録媒体２０９としては、例えばフラッシュメモリ等の不揮発性メモリ等を例示することができる。本図に例示したように記録媒体２０９がカメラ１０に対して着脱可能である場合、パーソナルコンピュータ１１は、読み出し可能に接続された記録媒体２０９から、アクセス情報が付加された撮像画像データを読み出す。
【００２０】
パーソナルコンピュータ１１は、アクセス情報を用いて、複数のウェブサーバ１４ａ、１４ｂの中からイベントの主催者が用意したウェブサーバ１４ａを特定して、ウェブサーバ１４ａにアクセスして付加画像データをダウンロードする。パーソナルコンピュータ１１は、カメラ１０と同様、ＵＲＬ情報、位置情報、時刻情報等に基づき、ウェブサーバにアクセスすることができる。パーソナルコンピュータ１１は、ウェブサーバ１４ａからダウンロードした付加画像データを撮像画像データに付加して、記録媒体２０９に記録する。パーソナルコンピュータ１１は、記録媒体２０９に記録することに加えて、または、記録媒体２０９に記録することに替えて、パーソナルコンピュータ１１がアクセスすることができるハードディスク等の不揮発性の記録媒体に記録してもよい。
【００２１】
カメラ１０は、パーソナルコンピュータ１１と同様に、ネットワーク２７を介してウェブサーバ１４ａにアクセスして、付加画像データを取得して記録することができる。ウェブサーバ１４ａにアクセスするためのアクセス情報が撮像画像データに付加されているので、撮像画像データの撮影位置に関する付加画像データを様々な機器でダウンロードすることができる。また、ユーザ１７は、イベント会場にいるときだけでなく、例えば自宅に居ながら、パーソナルコンピュータ１１を用いて、付加画像データをダウンロードすることができる。このため、主催者が用意した最新の付加画像データをダウンロードして、付加画像データを更新することができる。
【００２２】
撮像画像データおよび付加画像データが記録される記録媒体として、不揮発性メモリ、ハードディスク等を例示したが、記録媒体としては、不揮発性メモリ、ハードディスクの他、不揮発性のソリッドステートメモリ、種々の光学記録媒体等を例示することができる。また、記録媒体は、カメラ１０、パーソナルコンピュータ１１に直接接続されていなくてもよい。例えば記録媒体は、ネットワーク２７を介してカメラ１０またはパーソナルコンピュータ１１がアクセスすることができれば、どのようなネットワーク位置に存在してもよい。また、本例では、記録媒体２０９がカメラ１０に対して着脱可能であるとして説明した。しかし、記録媒体がカメラ１０に対して着脱可能でなくともよい。例えば、パーソナルコンピュータ１１は、通信ケーブルを介して、または、無線通信等により、カメラ１０内のコントローラを通じて記録媒体に対し読み書きをしてもよい。
【００２３】
図３は、カメラ１０のシステム構成図である。カメラ１０は、主にズームレンズ２２１等が含まれる光学系を備える。被写体像は、光軸２１９に沿ってズームレンズ２２１に入射して撮像素子２３１の結像面に結像する。ズームレンズ２２１および撮像素子２３１の機能ブロックは、撮像部として機能する。
【００２４】
撮像素子２３１は、ズームレンズ２２１を透過して入射する被写体像である光学像を光電変換して被写体を撮像する素子である。撮像素子２３１としては、例えば、ＣＣＤ、ＣＭＯＳセンサを用いることができる。撮像素子２３１で光電変換された被写体像は、Ａ／Ｄ変換器２３２でアナログ信号からデジタル信号に変換される。撮像素子２３１の電荷読み出し制御およびＡ／Ｄ変換器２３２の変換制御は、メモリ制御部２３３の同期制御を受けたタイミング発生部２３４が供給するクロック信号により同期が計られる。
【００２５】
デジタル信号に変換された被写体像は、画像データとして順次処理される。Ａ／Ｄ変換器２３２によりデジタル信号に変換された画像データは、メモリ制御部２３３の制御に従い、一旦内部メモリ２３５に記憶される。内部メモリ２３５は、高速で読み書きのできるランダムアクセスメモリであり、例えばＤＲＡＭ、ＳＲＡＭなどが用いられる。内部メモリ２３５は、連写撮影、動画撮影において高速に連続して画像データが生成される場合に、画像処理の順番を待つバッファメモリとしての役割を担う。
【００２６】
また、内部メモリ２３５は、画像処理部２３７が行う画像処理、圧縮処理において、ワークメモリとしての役割も担う。特に本実施形態においては、内部メモリ２３５は、撮像画像の画像データだけでなく、付加画像の画像データを一時的に保管する役割も担う。したがって、内部メモリ２３５は、これらの役割を担うに相当する十分なメモリ容量を備える。
【００２７】
システムメモリ２３６は、電気的に消去・記録可能な不揮発性メモリであり、例えばＥＥＰＲＯＭ（登録商標）等により構成される。システムメモリ２３６は、カメラ１０の動作時に必要な定数、変数、プログラム等を、カメラ１０の非動作時にも失われないように記録している。カメラ１０の全体を直接的または間接的に制御するシステム制御部２５０は、定数、変数、プログラム等を適宜内部メモリ２３５に展開して、カメラ１０の制御に利用する。
【００２８】
本実施形態においては、カメラ１０は、撮像画像データを消去する消去モードとして、対応する付加画像データも撮像画像データとともに消去する消去モードと、対応する付加画像データを残して撮像画像データを消去する消去モードとを有する。本消去モードはユーザによって選択可能であり、システムメモリ２３６には、ユーザによっていずれの消去モードが選択されているかが、変数として記憶されている。本消去モードに関する処理については後述する。
【００２９】
画像処理部２３７は、設定されている撮影モード、ユーザからの指示に則して、画像データを所定の画像フォーマットに変換する。例えば、静止画像としてＪＰＥＧファイルを生成する場合、色変換処理、ガンマ処理、ホワイトバランス処理等の画像処理を行った後に適応離散コサイン変換等を施して圧縮処理をする。
【００３０】
また、動画像としてＭＰＥＧファイルを生成する場合、所定の画素数に縮小されて生成された連続する静止画としてのフレーム画像に対して、フレーム内符号化、フレーム間符号化を施して圧縮処理をする。画像処理部２３７によって処理された静止画像データ、動画像データは、内部メモリ２３５から記録媒体ＩＦ２４０を介して、記録媒体２０９に記録される。
【００３１】
画像処理部２３７は、記録用に処理される画像データに並行して、表示用の画像データを生成する。生成された表示用の画像データは、表示制御部２３８の制御に従って、Ｄ／Ａ変換器２３９でアナログ信号に変換され、表示部２０１に表示される。記録の有無に関わらず、逐次表示用の画像データを生成して表示部２０１に表示すれば、ライブビュー機能を実現することができる。また、システム制御部２５０は、画像の表示と共に、もしくは画像を表示することなく、カメラ１０の各種設定に関する様々なメニュー項目も、表示部２０１に表示することができる。
【００３２】
ネットワーク接続モジュール２４１は、図１または２を用いて説明した利用に供される、カメラ１０を外部サーバと接続する場合に用いられる通信部として機能する。通信方式として無線ＬＡＮ等を適用することができる。ネットワーク接続モジュール２４１は、例えば付加画像データ等を要求する要求情報を外部サーバに送信して、外部サーバから付加画像データ等を取得する。また、カメラ１０が情報提供装置１２と通信する場合、ネットワーク接続モジュール２４１は、外部サーバからＵＲＬ情報等のアクセス情報を取得する。このように、ネットワーク接続モジュール２４１は、付加画像データ、アクセス情報を、ネットワークを介して取得する。すなわち、ネットワーク接続モジュール２４１は、外部サーバにアクセスするためのアクセス情報を取得するアクセス情報取得部として機能する。アクセス情報としては、ＵＲＬ情報の他、上述した位置情報等の撮像画像の撮像位置を示す情報、撮像位置および撮像時刻を示す情報などを例示することができる。
【００３３】
ネットワーク接続モジュール２４１が取得したデータは、一旦、内部メモリ２３５記憶され、その後、撮像画像データに付加されて、内部メモリ２３５から記録媒体ＩＦ２４０を介して記録媒体２０９に記録される。また、ネットワーク接続モジュール２４１が取得したデータが撮像画像データとリンク付けされて記録される場合、記録媒体ＩＦ２４０は、当該データと撮像画像データとリンクするリンク情報を、撮像画像データと併せて記録媒体２０９に記録する。ネットワーク接続モジュール２４１が取得し記録媒体２０９に撮像画像データに付加されて記録された付加画像データは、表示制御部２３８を介して撮像画像データとともに表示部２０１に表示される。すなわち、表示部２０１は、記録媒体２０９に対応づけて記録された撮像画像および付加情報を用いて、撮像画像と付加情報とが合成された表示用画像を表示する。
【００３４】
カメラ１０は、カメラユーザ１７からの操作を受け付ける操作部材２０２を複数備えているが、システム制御部２５０は、これら操作部材２０２が操作されたことを検知して操作に応じた動作を実行する。特に本実施形態においては、後述するように、撮像画像に合成すべき画像としていずれの付加画像が選択されたかを検知するために用いられる。
【００３５】
また、カメラ１０はレリーズスイッチ２０７を備える。レリーズスイッチ２０７は、カメラ１０の動作モードが撮影モードに設定されている場合、押下げ検知により撮像素子２３１による被写体像の取得動作を実行する。一方、カメラ１０の動作モードが画像データ取得モードに設定されている場合、押下げ検知により画像データ取得モードを解除してカメラ１０の動作モードを撮影モードに切り換える。
【００３６】
ズームレンズ２２１は、システム制御部２５０の統括制御のもと、ズーム制御部２４３によって制御される。ズーム制御部２４３は、ユーザの指示に応じてズームレンズ２２１を駆動して、被写体像の画角を変更する。システム制御部２５０は、ズーム制御部２４３によって検出されるズームレンズ２２１の位置を取得してカメラ１０の画角情報を取得する。
【００３７】
電源制御部２４７は、バッテリ２０８と通信して残電力を検出、電力供給を監視する。また、バッテリ２０８の充電に応じて、接続されるＡＣ電源からの電力供給を制御する。記録媒体２０９は、バッテリ２０８またはＡＣ電源からの電力供給がない場合でも、記録されたデータを保持することができる。
【００３８】
ＧＰＳモジュール２４８は、ＧＰＳ衛星２５からの信号２６を受信して、カメラ１０が存在している緯度、経度、高度情報を取得してカメラ１０の位置を検出する。システム制御部２５０は、ＧＰＳモジュール２４８からカメラ１０が存在している位置に関する情報を適宜検出することができる。
【００３９】
図４は、カメラ１０が付加画像データを取得して撮像画像データに付加する処理の一例を示すフロー図である。本処理は、カメラ１０が撮影動作により撮像画像データが内部メモリ２３５に記憶されると開始される。画像処理部２３７は、本処理に併行して、予め定められた画像処理を撮像画像データに施す処理を行ってよい。
【００４０】
システム制御部２５０は、ステップＳ４０２において、現在の時刻を取得する。システム制御部２５０は、カメラ１０に内蔵された内部時計から取得した計時情報に基づき、撮影時刻を示すデータを生成する。システム制御部２５０は、生成したデータを内部メモリ２３５に一時的に記憶する。
【００４１】
そして、システム制御部２５０は、ステップＳ４０４において、現在の位置を取得する。具体的には、システム制御部２５０は、ＧＰＳモジュール２４８に現在位置を取得させて、ＧＰＳモジュール２４８から位置情報として取得する。システム制御部２５０は、取得した位置情報を用いて撮影位置を示すデータを生成して、内部メモリ２３５に一時的に記憶する。
【００４２】
そして、システム制御部２５０は、ステップＳ４０６において、情報提供装置１２に対するアクセスを要求する要求信号を生成して、ネットワーク接続モジュール２４１に送信させる。ネットワーク接続モジュール２４１は、情報提供装置１２に対するアクセスの可否を示す信号をシステム制御部２５０に供給する。
【００４３】
システム制御部２５０は、ステップＳ４０８において、アクセスの可否を示す信号に基づき、情報提供装置１２に対するアクセスが可能であるか否かを判断する。情報提供装置１２に対するアクセスが可能である場合、システム制御部２５０は、ステップＳ４１０において、ＵＲＬ情報を要求する要求信号をネットワーク接続モジュール２４１に送信させて、情報提供装置１２からウェブサーバ１４のＵＲＬ情報を受信する。システム制御部２５０は、受信したＵＲＬ情報を用いて、ウェブサーバ１４のＵＲＬを示すデータを生成して、内部メモリ２３５に一時的に記憶する。
【００４４】
システム制御部２５０は、ステップ４１２において付加画像データが受信済みであるか否かを判断する。例えば、システム制御部２５０は、以前に情報提供装置１２から付加画像データを受信し記録媒体２０９に記録したことがある場合に、付加画像データを受信済みであると判断する。
【００４５】
付加画像データが受信済みでない場合、システム制御部２５０は、ステップＳ４１６において、付加画像データを要求する要求信号を生成してネットワーク接続モジュール２４１に送信させて、付加画像データを受信する。ネットワーク接続モジュール２４１は、Ｅｘｉｆヘッダが付与された付加画像データを受信してよい。システム制御部２５０は、受信した付加画像データを内部メモリ２３５に一時的に記憶する。システム制御部２５０は、内部メモリ２３５への記憶処理が完了すると、処理をステップＳ４１８に移行させる。
【００４６】
ステップＳ４１８において、システム制御部２５０は、画像処理部２３７により処理された撮像画像データに、付加画像データ、撮影時刻を示すデータ、撮影位置を示すデータおよびＵＲＬ情報を対応づけた記録用データを生成する。システム制御部２５０は、後述するように、複数の画像データをＥｘｉｆ情報とともに１つのファイルとして記録するマルチピクチャフォーマットの記録用データを生成してよい。そして、システム制御部２５０は、記録用データを記録媒体ＩＦ２４０を通じて記録媒体２０９に記録させる。このように、システム制御部２５０は、撮影時刻を示すデータ、撮影位置を示すデータおよびＵＲＬ情報などのアクセス情報を、撮像画像に対応づけて記録媒体２０９に記録する。
【００４７】
ステップＳ４１２において、付加画像データが受信済みである場合、ステップＳ４１４において、システム制御部２５０は、受信済みの付加画像データを記録媒体２０９から読み出して内部メモリ２３５に一時的に記憶して、処理をステップＳ４１８に移行させる。システム制御部２５０は、記録媒体２０９に撮像画像データに付加されて記録された付加画像データを読み出してよいし、記録媒体２０９に撮像画像とは別個に記録された付加画像データを読み出してもよい。なお、システム制御部２５０は、以前に取得した付加画像データを内部メモリ２３５に保持しつづけてよい。付加画像データが内部メモリ２３５に保持している場合、記録媒体２０９から付加画像データを読み出すことなく、処理をステップＳ４１８に移行してもよい。
【００４８】
ステップＳ４０８において情報提供装置１２に対するアクセが可能でない場合、ステップＳ４２０において、画像処理部２３７により処理された撮像画像データに、付加画像データ、撮影時刻を示すデータおよび撮影位置を示すデータを対応づけた記録用データを生成する。システム制御部２５０は、ステップＳ４１８で説明したように、マルチピクチャフォーマットの記録用データを生成してよい。そして、システム制御部２５０は、記録用データを記録媒体ＩＦ２４０を通じて記録媒体２０９に記録させる。
【００４９】
ステップＳ４１８またはステップＳ４２０の処理が完了すると、本処理フローに関する一連の処理が終了する。本例のように、カメラ１０は、撮像画像の撮像時に、撮影時刻、撮影位置、ＵＲＬ情報等のアクセス情報を取得する。このため、撮影したその場で正しいアクセス情報を取得し記録しておくことができる。
【００５０】
図５は、記録媒体２０９に記録される記録データのファイル構成の一例を模式的に示す。記録データはマルチピクチャフォーマットで記録媒体２０９に記録される。マルチピクチャフォーマットは、それぞれＥｘｉｆで規定されたＪＰＥＧ圧縮データ構造を持つ複数の個別画像を、１つのファイルとして記録するフォーマットである。
【００５１】
本例において、システム制御部２５０は、撮像画像データ５００を先頭画像の個別画像とし、１以上の付加画像データ５０１、付加画像データ５０２、付加画像データ５０３、・・・を後続の個別画像とする記録データを生成する。個別画像にはそれぞれＥｘｉｆ情報５１０、Ｅｘｉｆ情報５１１、Ｅｘｉｆ情報５１２、Ｅｘｉｆ情報５１３およびＭＰフォーマット付属情報５２０、ＭＰフォーマット付属情報５２１、ＭＰフォーマット付属情報５２２、ＭＰフォーマット付属情報５２３がヘッダとして付与される。ＭＰフォーマット付属情報には、画像の種別等、個別画像に関するＭＰフォーマットにおける付属情報が含まれる。
【００５２】
撮像画像データ５００としての個別画像には、Ｅｘｉｆ情報５１０およびＭＰフォーマット付属情報５２０がヘッダとして付与される。Ｅｘｉｆ情報５１０には、上述した撮影時刻を示すデータ、撮影位置を示すデータを含むことができる。また、Ｅｘｉｆ情報５１０には、上述したＵＲＬ情報を含んでよい。ＵＲＬ情報は、メーカーノートのタグデータとして含まれてよい。先頭画像のＭＰフォーマット付属情報５２０には、上述した情報の他、後続する個別画像の、ファイル内の位置を示す情報が含まれる。
【００５３】
付加画像データ５０１としての個別画像には、Ｅｘｉｆ情報５１１およびＭＰフォーマット付属情報５２１がヘッダとして付与される。Ｅｘｉｆ情報５１０と同様、Ｅｘｉｆ情報５１１にも、撮影時刻を示すデータ、撮影位置を示すデータ、ＵＲＬ情報などを含んでよい。Ｅｘｉｆ情報５１１に含まれる撮影時刻および撮影位置を示すデータは、撮像画像データ５００のＥｘｉｆ情報５１０と同じであってよい。また、Ｅｘｉｆ情報５１１には、付加画像データ５０１を識別する識別情報が含まれていてよい。識別情報はメーカーノートのタグデータとして含まれてよい。識別情報は、付加画像データの提供者が付与して提供されてよい。同一の撮影位置に関連して複数の付加画像データが用意されている場合、カメラ１０またはパーソナルコンピュータ１１は、撮像画像に付加されていない付加画像データの有無を識別情報を参照して判断することができる。
【００５４】
付加画像データ５０２の個別画像にヘッダとして付与されるＥｘｉｆ情報５１２、付加画像データ５０３の個別画像にヘッダとして付与されるＥｘｉｆ情報５１３も、Ｅｘｉｆ情報５１０と同様であるので、説明を省略する。
【００５５】
付加画像データ５０１は、撮像画像に重畳して表示される、アーティスト３０のロゴ画像６０の画像データの一例である。付加画像データ５０２は、撮像画像の外枠として表示される画像データの一例である。付加画像データ５０３は、撮像画像に重畳して表示される、ライブの情報を表す画像データである。本例のように、システム制御部２５０は、画像である付加情報と撮像画像とを、単一ファイルに一体に記録することができる。
【００５６】
本システムによれば、ユーザ１７は、ユーザ１７が手軽に付与することが困難な画像を主催者から取得することができる。また、主催者が用意したキャッチーな内容の付加画像データを利用することができる。主催者の立場からすれば、同じイベントで撮影された撮像画像には統一感のある付加画像を付加させることができる。このため、画像の閲覧者に統一感のある印象を与えることができる。本例によれば、これらの画像を単一ファイルで一括して記録することができる。このため、撮像画像と１以上の付加画像とを一括して取り扱うことができ、別個に管理する場合と比較して、取り扱いが容易である。
【００５７】
図６は、記録データに含まれる付加画像データを更新する処理のフロー図である。ここでは、カメラ１０が付加画像データを更新する場合の処理を例示する。本処理は、付加画像データを更新するイベントが発生した場合に開始する。例えばユーザが付加画像データを更新するよう指示した場合に、本イベントが生じる。また、撮像画像が撮像されてから予め定められた時間長さを超える時間が経過する毎に本イベントが自動的に生じるよう、カメラ１０内でスケジューリングされていてもよい。
【００５８】
ステップＳ６０２において、システム制御部２５０は、付加画像データを更新すべきファイルを選択する。当該ファイルがユーザによって指定された場合、ユーザが指定したファイルが選択される。また、複数のファイルの付加画像データを一括して更新するよう指示された場合、複数のファイルの中から１つずつファイルが選択される。また、付加画像データの更新処理が予め定められた時間長さを超える時間が経過する毎に実行される場合、予め定められた条件を満たす１以上のファイルの中から１つずつファイルが選択される。例えば、最後に更新処理の対象となったタイミングから現在までに、予め定められた時間長さを超える時間が経過したファイルが、１つずつ選択される。
【００５９】
ステップＳ６０４において、システム制御部２５０は、ＵＲＬ情報がファイル内に含まれるか否かを判断する。例えば、システム制御部２５０は、個別画像のいずれかのＥｘｉｆ情報内にＵＲＬ情報が含まれている場合に、ＵＲＬ情報がファイル内に含まれると判断する。ＵＲＬ情報がファイル内に含まれている場合、ステップＳ６０６において、システム制御部２５０は、ＵＲＬ情報をファイルから読み出して、処理をステップＳ６１２に進める。
【００６０】
ＵＲＬ情報がファイル内に含まれていない場合、ステップＳ６０８において、システム制御部２５０は、撮影位置、撮影時刻を、撮像画像データのＥｘｉｆ情報から読み出す。そして、ステップＳ６１０において、システム制御部２５０は、撮影位置および撮影時刻に基づき、ウェブサーバ１４のＵＲＬを決定して、処理をステップＳ６１２に進める。
【００６１】
ステップＳ６１２において、システム制御部２５０は、ファイルに含まれる付加画像データを識別する識別情報を読み出す。例えば、システム制御部２５０は、各付加画像データのＥｘｉｆ情報から、識別情報を読み出す。
【００６２】
ステップＳ６１４において、システム制御部２５０は、ステップＳ６０６で読み出したＵＲＬまたはステップＳ６１０で決定したＵＲＬで特定されるウェブサーバ１４に、ネットワーク接続モジュール２４１を介してアクセスする。具体的には、システム制御部２５０は、ネットワーク接続モジュール２４１に識別情報をウェブサーバ１４へ送信させて、新たな付加画像データがウェブサーバ１４に用意されているか否かを問い合わせる。ステップＳ６１６において、システム制御部２５０は、新たな付加画像データが用意されているか否かを判断する。具体的には、システム制御部２５０は、ウェブサーバ１４から新たな付加画像データが用意されている旨のデータがウェブサーバ１４から返却された場合に、新たな付加画像データが用意されていると判断する。
【００６３】
新たな付加画像データが用意されている場合、ステップＳ６１８で、システム制御部２５０は、新たな付加画像を要求する信号をネットワーク接続モジュール２４１に送信させて、新たな付加画像をダウンロードする。システム制御部２５０は、ダウンロードした付加画像データを内部メモリに一時的に記憶する。ダウンロードが完了すると、システム制御部２５０は、ファイル内の付加画像データを更新する（ステップＳ６２０）。例えば、システム制御部２５０は、ダウンロードした新たな付加画像データを個別画像として追加したファイルを、記録媒体２０９に書き込む。また、システム制御部２５０は、ダウンロードした新たな付加画像データで既存の付加画像データの少なくとも１つを置き換えたファイルを、記録媒体２０９に書き込む。新たな付加画像データで既存の付加画像データを置き換えることに替えて、新たな付加画像データをファイルに追加してもよい。このように、システム制御部２５０は、アクセス情報と対応づけて記録媒体２０９に記録されている撮像画像に、新たな付加情報を対応づけて記録媒体２０９に記録することができる。
【００６４】
ステップＳ６２０の処理が完了すると、本処理フローに関する一連の処理が終了する。複数のファイルに対して付加画像データを更新する場合、各ファイルについて本処理フローを繰り返して適用すればよい。本処理フローによれば、新たに付加画像が主催者で用意されたときには、最新の付加画像をダウンロードして利用することができる。このためユーザ１７は、付加画像に飽きることなく、新鮮な気持ちで画像を閲覧することができる。
【００６５】
図７は、付加画像の切り替えの一例を、表示部２０１に表示される画面を用いて説明する図である。システム制御部２５０は、撮像画像データ５００を表示する場合に、撮像画像データ５００と付加画像データ５０１とを合成した合成画像を画像処理部２３７に生成させて、表示部２０１に表示させる。画面７０１は、撮像画像の閲覧画面であり、付加画像データ５０１がロゴ画像７０２として合成された状態にある。
【００６６】
ここで、ユーザ１７が例えば画面内のロゴ画像７０２の表示位置をタッチすると、付加画像の選択画面７１１に切り替わる。選択画面７１１では、画面７０１に表示していた画像が画面内の部分領域７１２に表示される。そして、部分領域７１４、部分領域７１５および部分領域７１６には、それぞれ付加画像データ５０１を合成した撮像画像、付加画像データ５０２を合成した撮像画像、および、付加画像データ５０３を合成した撮像画像が表示される。また、更に他の付加画像を選択するマーカ７１７が表示される。ユーザ１７が画面内のマーカ７１７の表示位置をタッチすると、更に他の付加画像データが合成された撮像画像が表示される。
【００６７】
選択画面７１１に対して、ユーザ１７が例えば部分領域７１４、部分領域７１５および部分領域７１６のうちのいずれかの領域をタッチすると、選択画面７２１に遷移する。本例では部分領域７１５がタッチされたとする。選択画面７２１では、タッチされた位置に表示されていた画像が、部分領域７２２に拡大表示される。選択画面７２１内の部分領域７２４、部分領域７２５、部分領域７２６およびマーカ７２７には、それぞれ選択画面７１１内の部分領域７１４、部分領域７１５、部分領域７１６およびマーカ７１７と同じものが表示される。すなわち、選択画面７１１の部分領域７１２の表示内容が、ユーザ１７によって指定された合成画像に切り替わる。
【００６８】
そして、ユーザ１７が例えば部分領域７２２内の付加画像の表示位置を長押しすると、部分領域７２２内に表示されていた画像が選択される。すなわち、本例では、撮像画像データ５００に対して、付加画像データ５０２を合成して表示するよう設定される。システム制御部２５０は、撮像画像データ５００のＥｘｉｆ情報として、付加画像データ５０２の識別情報を記録してよい。例えば、システム制御部２５０は、選択された付加画像データの識別情報を撮像画像データ５００のＥｘｉｆ情報に含めてファイルとして記録してよい。本処理により、撮像画像データ５００を表示する場合には、付加画像データ５０２が合成された画像が、デフォルトで閲覧画面等に表示されることとなる。
【００６９】
本例では、付加画像を選択する選択画面の一例を説明したが、ユーザ１７が付加画像を表示させないようにすることもできる。例えば、閲覧画面７０１において、ロゴ画像７０２の表示位置が長押しされた場合に、システム制御部２５０は、撮像画像データ５００を用いて表示用の画像データを画像処理部２３７に生成させて、いずれの付加画像データも含まない表示用の画像データを生成させてよい。すなわち、システム制御部２５０は、操作部材２０２の一例としてのタッチパネルとともに、撮像画像と付加情報とが合成された画像を表示するか否かをユーザ指示に基づいて設定する表示設定部として機能する。そして、表示部２０１は、当該設定に従って、付加情報が合成された撮像画像と、付加情報が合成されていない撮像画像とを、切り替えて表示する。
【００７０】
システム制御部２５０は、撮像画像を表示する指示を受け付けた場合に、デフォルトでは撮像画像データに付加画像データを合成して表示させてよい。付加画像データが合成された画像が表示されている状態で、付加画像データを合成しない旨がユーザ指示により設定された場合に、付加画像データが合成されていない画像、例えば撮像画像データ５００を表示させてよい。図５の例では撮像画像データと付加画像データとを別個に記録するとしたが、付加画像データが合成されていない撮像画像データに加えて、撮像画像データと付加画像データとが合成された画像データが、記録媒体２０９に記録されてもよい。この場合、当該合成された画像データが表示されている状態で、付加画像データを合成しない旨がユーザ指示により設定された場合に、付加画像データが合成されていない撮像画像データを表示させてよい。すなわち、システム制御部２５０は、付加画像データが合成された画像データと、付加画像データが合成されていない撮像画像データとを、切り替えて表示させてよい。
【００７１】
図８は、撮像画像データを消去する処理のフロー図である。本図に示す本処理は、ユーザ１７が撮像画像データを消去する指示をした場合に、開始する。
【００７２】
ステップＳ８０２において、システム制御部２５０は、内部メモリ２３５に展開された消去モードに関する変数を読み出す。上述したように、カメラ１０は、消去モードとして、撮像画像データとともに付加画像データを消去するモードと、付加画像データを残して撮像画像データを消去するモードとを有している。そして、現在設定されている消去モードを示す変数が、システムメモリ２３６から内部メモリ２３５に展開されている。消去モードは、ユーザ指示によって設定されてよい。
【００７３】
ステップＳ８０４において、システム制御部２５０は、読み出した変数に基づき消去モードを特定することにより、読み出した付加画像データも消去するか否かを判断する。付加画像も消去する設定である場合、ステップＳ８１２において、画像ファイルを記録媒体２０９から消去する。画像ファイル全体が消去されることで、撮像画像データおよび付加画像データが一括して消去される。
【００７４】
付加画像データを消去しない設定である場合、ステップＳ８０６において、システム制御部２５０は、撮像画像データを消去する対象の画像ファイルを記録媒体２０９から読み出す。そして、ステップＳ８０８において、システム制御部２５０は、撮像画像データを除く付加画像データで、ファイルデータを再構築する。例えば図５のファイルフォーマットを用いる場合、ファイルデータを再構築する処理としては、Ｅｘｉｆ情報５１１以降のデータを新たなファイルデータとし、付加画像データ５０１が先頭画像の個別画像となるようにＭＰフォーマット付属情報５２１を書き換える処理を含む。
【００７５】
そして、ステップＳ８１０において、システム制御部２５０は、記録媒体ＩＦ２４０を介してファイルデータを再構成して得られたファイルデータを、画像ファイルのデータとして記録媒体２０９に記録する。このように、システム制御部２５０は、記録媒体２０９に記録されている撮像画像を消去する場合に、当該撮像画像に対応づけて記録されている付加情報を記録媒体２０９から消去することなく撮像画像を記録媒体から消去する記録制御部として機能することができる。
【００７６】
ステップＳ８１０またはステップＳ８１２の処理が完了すると、本処理フローに関する一連の処理が終了する。上述したように、撮像画像データが含まれていなくても、各付加画像データのＥｘｉｆ情報には、位置情報およびＵＲＬ情報が含まれている。したがって、カメラ１０で撮像画像が新たに撮影されたときに、その撮影位置に対応する位置情報を含む付加画像データのファイルが記録媒体２０９に存在する場合、当該ファイルに含まれる付加画像データを、新たに撮像して得られた撮像画像データに付加することができる。このため、ウェブサーバ１４から付加画像データを新たにダウンロードする必要がなくなる。例えば、ネットワーク２７にアクセスできない環境にいる場合でも、速やかに付加画像データを撮像画像データに付加することができる。
【００７７】
本例では、マルチピクチャフォーマットのファイルから付加画像データを残して撮像画像データを消去する場合の処理について説明した。撮像画像に付加画像を重畳した画像データを記録媒体２０９に記録している場合、画像データから重畳された付加画像を切り出して、切り出した画像データを記録媒体２０９に残してよい。記録媒体２０９に残された付加画像の画像データには、位置情報およびＵＲＬ情報を含むＥｘｉｆ情報が付帯されてよい。
【００７８】
上記実施形態では、本システムを分かり易く説明することを目的として、イベント会場を例に挙げて本システムを具体的に説明した。しかし、本システムは、イベント会場以外にも適用できる。例えば、野球場等の運動場、飲食店等の店舗、動物園、水族館、遊園地、映画館、遊技場、宿泊施設、公園など、種々の施設または場所で適用することができる。
【００７９】
上記実施形態では、撮像画像に付加するデータの一例としての付加画像データを例示した。例えば、カメラ１０が、撮像画像と合成して表示されるべき画像を取得するとして説明した。特に図５等の例では、付加画像データとしていわゆる静止画データを例示した。しかし、付加画像データは、いわゆる動画データであってもよい。例えば、カメラ１０が動画としての撮像画像を撮影した場合に、動画としての付加画像データを取得してよい。このように、付加情報としての動画ストリームを取得して、取得した動画ストリームを、動画ストリームである撮像画像に対応づけて記録媒体２０９に記録してよい。例えば、マルチストリームの単一動画ファイルとして、付加情報としての動画ストリームと撮像画像としての動画ストリームとを一体に記録してよい。もちろん、撮像画像としての静止画データに、付加情報としての動画データを対応づけて記録してよく、撮像画像としての動画データに、付加情報としての静止画データを対応づけて記録してもよい。
【００８０】
また、付加データは画像データに限られない。例えば、付加データはテキストデータであってもよい。すなわち、情報提供装置１２、ウェブサーバ１４等の外部サーバは、テキストデータとしての付加情報を提供することができる。そして、カメラ１０は、外部サーバから当該テキストデータをネットワークを介して取得して、取得したテキストデータを、撮像画像に対応づけて記録媒体に記録することができる。
【００８１】
例えば店舗等の商業施設であれば、店舗のロゴ画像の画像データを付加情報として提供するだけでなく、テキストデータとしての電話番号データを付加情報として提供することも効果的である。例えば、ユーザ１７が飲食店で飲食した物を撮影した撮像画像には、その飲食店の電話番号データが付加される。ユーザ１７が撮像画像を閲覧するときには、電話番号データを画像に変換して撮像画像に合成したものが、表示部２０１に表示される。このため、ユーザ１７は、飲食物の画像から、飲食店の連絡先を確認することができる。また、上述したように付加情報を最新の情報に更新することができるので、飲食店の電話番号が変わったときには、撮像画像に合成される電話番号を自動的に更新することができる。このため、ユーザ１７は、飲食物の画像から、飲食店の最新の電話番号を知ることができる。
【００８２】
上記においては、付加画像データを、撮像画像に対応づけて不揮発性の記録媒体に記録するとして説明したが、実質的に永続的に読み書き可能な記録媒体であれば、記録媒体が不揮発性であることを要しない。また、上記においては、マルチピクチャフォーマットで、撮像画像データと１以上の付加画像データとを管理するとして説明した。しかし、システム制御部２５０は、撮像画像の画像ファイルと、関連する１以上の付加画像の画像ファイルとを、記録媒体２０９に作成した同一フォルダ内に格納してもよい。撮像画像の画像ファイル毎に作成されたフォルダ内に、関連する付加画像の画像ファイルを格納することで、これらの画像ファイルをフォルダ単位で一括して管理することができる。
【００８３】
上記実施形態で説明したカメラ１０は、レンズ交換式一眼レフカメラ、コンパクトデジタルカメラ、ミラーレス一眼カメラおよびビデオカメラはもちろん、カメラ機能付きの携帯電話等として適用できる。また、上記実施形態において本システムに係る情報記録装置の一例としてカメラ１０およびパーソナルコンピュータ１１を例示したが、情報記録装置は、カメラ１０、パーソナルコンピュータ１１だけでなく、テレビ、デジタルフォトフレーム等として実現されてよい。また、上述した処理は、コンピュータ装置によって実現することができる。コンピュータ装置は、上述した処理の実行を制御するプログラムをロードして、読み込んだプログラムに従って動作することにより、当該処理を実行してよい。コンピュータ装置は、当該プログラムを記憶しているコンピュータ読取可能な記録媒体を読み込むことによって、当該プログラムをロードすることができる。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１０  カメラ、１１  パーソナルコンピュータ、１２  情報提供装置、１４  ウェブサーバ、１７  ユーザ、２５  ＧＰＳ衛星、２６  信号、２７  ネットワーク、３０  アーティスト、５０  像、６０  ロゴ画像、２０１  表示部、２０２  操作部材、２０７  レリーズスイッチ、２０８  バッテリ、２０９  記録媒体、２１９  光軸、２２１  ズームレンズ、２３１  撮像素子、２３２  Ａ／Ｄ変換器、２３３  メモリ制御部、２３４  タイミング発生部、２３５  内部メモリ、２３６  システムメモリ、２３７  画像処理部、２３８  表示制御部、２３９  Ｄ／Ａ変換器、２４０  記録媒体ＩＦ、２４１  ネットワーク接続モジュール、２４３  ズーム制御部、２４７  電源制御部、２４８  ＧＰＳモジュール、２５０  システム制御部、５００  撮像画像データ、５０１、５０２、５０３  付加画像データ、５１０、５１１、５１２、５１３  Ｅｘｉｆ情報、５２０、５２１、５２２、５２３  ＭＰフォーマット付属情報、７０１  画面、７０２  ロゴ画像、７１１、７２１   選択画面、７１２、７１４、７１５、７１６、７２２、７２４、７２５、７２６  部分領域、７１７、７２７  マーカ
【図１】
2012147267.tif 000003
【図２】
2012147267.tif 000004
【図３】
2012147267.tif 000005
【図４】
2012147267.tif 000006
【図５】
2012147267.tif 000007
【図６】
2012147267.tif 000008
【図７】
2012147267.tif 000009
【図８】
2012147267.tif 000010